(57)【要約】【課題】シートフレームの軽量化と強度アップの両立を図る。【解決手段】シート高さ方向に延びる左右一対のサイドフレーム１０Ａと、各サイドフレーム１０Ａからシート幅方向に曲げられて延びるアッパフレーム１０Ｂと、を有するシートバックフレーム１０（シートフレーム）である。各サイドフレーム１０Ａは、シート高さ方向に延びる鋼板パネル１１と、鋼板パネル１１に差し込まれて組み付けられる各縁側フレーム１２，１３と、から構成されている。各サイドフレーム１０Ａからアッパフレーム１０Ｂが曲げられる加工により、各縁側フレーム１２，１３が鋼板パネル１１と共に鋼板パネル１１への差し込み方向とは垂直な方向に曲げられて、鋼板パネル１１と各縁側フレーム１２，１３とが互いに一体的に圧着されて結合された状態として形成されている。【選択図】図９
2014019202.tif 000002
【特許請求の範囲】
【請求項１】
特定方向に延びる構成フレームと、該構成フレームから前記特定方向とは垂直な方向に曲げられて延びる曲げフレームと、を有するシートフレームであって、
前記構成フレームは、
前記特定方向に延びる第１のフレーム部材と、該第１のフレーム部材に差し込まれて組み付けられる第２のフレーム部材と、から構成され、
前記構成フレームから前記曲げフレームが曲げられる加工により、前記第２のフレーム部材が前記第１のフレーム部材と共に該第１のフレーム部材への差し込み方向とは垂直な方向に曲げられて、当該両フレーム部材が互いに一体的に圧着されて結合された状態として形成されていることを特徴とするシートフレーム。
【請求項２】
請求項１に記載のシートフレームであって、
前記第１のフレーム部材と前記第２のフレーム部材との間には、一方を他方に対して前記特定方向のいずれかの側から差し込めるようにして、該差し込みにより双方を互いに前記特定方向とは垂直な方向には抜けないように保持した状態とするレールの嵌合構造が設けられており、前記曲げフレームが曲げられる加工により、前記レールの嵌合構造が曲げられて、前記双方が互いに引抜き不能に一体的に圧着されて結合された状態となることを特徴とするシートフレーム。
【請求項３】
請求項１又は請求項２に記載のシートフレームであって、
当該シートフレームがシートバックのフレームとして構成され、前記構成フレームが前記シートバックのサイドフレームとして構成され、該サイドフレームは、そのシート前後方向の中央部に前記第１のフレーム部材となるシート高さ方向に延びる鋼板パネルが設定され、該鋼板パネルのシート前後側の各縁部に前記第２のフレーム部材となるアルミニウム合金の押出し材より成る縁側フレームがそれぞれ組み付けられた構成となっていることを特徴とするシートフレーム。
【発明の詳細な説明】
【技術分野】
【０００１】
本発明は、シートフレームに関する。詳しくは、特定方向に延びる構成フレームと、構成フレームから特定方向とは垂直な方向に曲げられて延びる曲げフレームと、を有するシートフレームに関する。
【背景技術】
【０００２】
従来、車両用シートのシートバックのフレーム構造として、左右一対のサイドフレームのうちの一方が、軽量化のためにアルミニウム合金の押出し材により形成されたものが知られている（特許文献１）。上記一方のサイドフレームは、シートベルト装置がシートバック付けとされてその肩口からベルトウェビングが引き出される側のフレームとされており、衝突発生時の大荷重にも耐えられるように閉断面形状とされて、軽量化と強度確保の両立が図られた構成とされている。残りのアッパフレームやもう一方のサイドフレームは、鋼管材や鋼板材のプレス成形品により形成されており、上記押出し材より成るサイドフレームとひと繋がりとなるように一体的に結合された構成とされている。
【先行技術文献】
【特許文献】
【０００３】
【特許文献１】特開２０１１−１４３８１６号公報
【発明の概要】
【発明が解決しようとする課題】
【０００４】
しかし、上記従来技術では、シートフレームが、アルミニウム合金の押出し材と鋼材のプレス成形品とを単にシートフレームの延びる方向に繋ぎ合わせただけの単純構造となっており、軽量化と強度アップのより適切な両立が望まれる。本発明は、上記問題を解決するものとして創案されたものであって、本発明が解決しようとする課題は、シートフレームの軽量化と強度アップの両立を図ることである。
【課題を解決するための手段】
【０００５】
上記課題を解決するために、本発明のシートフレームは次の手段をとる。
第１の発明は、特定方向に延びる構成フレームと、構成フレームから特定方向とは垂直な方向に曲げられて延びる曲げフレームと、を有するシートフレームである。構成フレームは、特定方向に延びる第１のフレーム部材と、第１のフレーム部材に差し込まれて組み付けられる第２のフレーム部材と、から構成されている。構成フレームから曲げフレームが曲げられる加工により、第２のフレーム部材が第１のフレーム部材と共に第１のフレーム部材への差し込み方向とは垂直な方向に曲げられて、両フレーム部材が互いに一体的に圧着されて結合された状態として形成されている。
【０００６】
この第１の発明によれば、第１のフレーム部材と第２のフレーム部材は、互いに差し込まれて組み付けられた状態で、曲げフレームの曲げ加工により差し込み方向とは垂直な方向に曲げられることにより、互いに抜けないように強固に一体的に圧着されて結合された状態となる。したがって、溶接や締結を行うことなく両者を簡便に一体化させた状態に組み付けることができ、溶接の難しい異種の材料同士を組み合わせて、軽量化と構造強度の確保とを最適に両立させられる構成を得ることができる。
【０００７】
第２の発明は、上述した第１の発明において、次の構成とされているものである。第１のフレーム部材と第２のフレーム部材との間には、一方を他方に対して特定方向のいずれかの側から差し込めるようにして、差し込みにより双方を互いに特定方向とは垂直な方向には抜けないように保持した状態とするレールの嵌合構造が設けられている。曲げフレームが曲げられる加工により、レールの嵌合構造が曲げられて、双方が互いに引抜き不能に一体的に圧着されて結合された状態となる。
【０００８】
この第２の発明によれば、両フレーム部材同士の差し込み方向を、構成フレームの延びる方向に設定したことにより、双方を互いに深く嵌合させることができ、双方をより強固に結合することができると共に、構成フレーム自体の構造強度も効果的に高めることができる。
【０００９】
第３の発明は、上述した第１又は第２の発明において、次の構成とされているものである。シートフレームがシートバックのフレームとして構成され、構成フレームがシートバックのサイドフレームとして構成されている。サイドフレームは、そのシート前後方向の中央部に、第１のフレーム部材となるシート高さ方向に延びる鋼板パネルが設定され、鋼板パネルのシート前後側の各縁部に、第２のフレーム部材となるアルミニウム合金の押出し材より成る縁側フレームがそれぞれ組み付けられた構成となっている。
【００１０】
この第３の発明によれば、シートバックのサイドフレームを、比強度の高い鋼板パネルと軽量なアルミニウム合金の押出し材より成る縁側フレームとを上記のように組み合わせて構成することにより、サイドフレームの軽量化と構造強度の確保とを最適に両立させた構成とすることができる。すなわち、上記シート前後方向の中央に配される比強度の高い鋼板パネルにより、サイドフレームを他のフレームにリクライニング可能に連結するリクライニング装置との連結強度を担保させることができる。また、アルミニウム合金の押出し材より成る各縁側フレームにより、横荷重や曲げや捩りに強い閉じ断面形状（もしくは中実形状）を軽量に構成することができる。
【図面の簡単な説明】
【００１１】
【図１】実施例１のシートフレームが適用された車両用シートの外観斜視図である。
【図２】シートフレーム単体の斜視図である。
【図３】シートフレームの正面図である。
【図４】シートフレームの側面図である。
【図５】図３のV-V線断面図である。
【図６】図２のVI-VI線断面図である。
【図７】シートフレームの組み付け前の分解斜視図である。
【図８】鋼板パネルに各縁側フレームを組み付けた状態を示した斜視図である。
【図９】シートフレームを曲げ加工した状態を示した斜視図である。
【図１０】実施例２のシートフレームの分解斜視図である。
【図１１】シートフレームの斜視図である。
【発明を実施するための形態】
【００１２】
以下に、本発明を実施するための形態について、図面を用いて説明する。
【実施例１】
【００１３】
始めに、実施例１のシートフレームの構成について、図１〜図９を用いて説明する。本実施例の「シートフレーム」は、図１に示すように、自動車の助手席シートとして構成された車両用シート１のシートバック２の骨組みを成すシートバックフレーム１０として構成されたものである。ここで、車両用シート１は、着座乗員の背凭れとなるシートバック２と、着座部となるシートクッション３と、頭の凭れ部となるヘッドレスト４と、を有して構成されている。
【００１４】
シートバック２は、その左右両サイドの下端部が、シートクッション３の左右両サイドの後端部に対して、それぞれ、回転止め可能な回転軸装置として機能する図示しない円盤状のリクライニング装置を間に介して連結された状態とされている。これにより、シートバック２は、シートクッション３に対して、背凭れ角度の調節が行えるように連結された状態とされている。シートクッション３は、車両のフロア上に、図示しない左右一対のスライド装置を間に介して連結された状態とされている。これにより、シートクッション３は、フロアに対して、前後方向の位置調節が行えるように設けられた状態とされている。なお、上記図示しないリクライニング装置やスライド装置の基本構造は、特開２０１１−１１６３０３号公報や特開２０１０−２２１９３５号公報等の文献に開示されたものと同じ構成となっているため、これらについての具体的な説明は省略することとする。
【００１５】
ヘッドレスト４は、シートバック２の上部に装着されて設けられている。具体的には、ヘッドレスト４は、その下部から突き出る２本の棒状のステーが、それぞれ、後述するシートバックフレーム１０のアッパフレーム１０Ｂ上に固定された２本の角筒状のホルダー１０Ｃ内にそれぞれ装着される図示しない筒状のサポート部材内にそれぞれ上方側から差し込まれて装着されることにより、シートバック２の上部に装着されて固定された状態とされている。なお、上記ヘッドレスト４の図示しないステーをシートバックフレーム１０上に固定された各ホルダー１０Ｃ内に差し込んで装着する構成は、特開２００８−２３９０７５号公報等の文献に開示されたものと同じ構成となっているため、これについての具体的な説明は省略することとする。
【００１６】
以下、図２〜図９を参照しながら、シートバックフレーム１０の具体的な構成について説明する。図２〜図４に示すように、シートバックフレーム１０は、シートバック２の左右両側部の骨格を成すサイドフレーム１０Ａと、シートバック２の上側部の骨格を成すアッパフレーム１０Ｂと、アッパフレーム１０Ｂ上の左右２箇所の位置に設けられた角筒状のホルダー１０Ｃと、から構成されている。ここで、各サイドフレーム１０Ａが本発明の「構成フレーム」に相当し、アッパフレーム１０Ｂが本発明の「曲げフレーム」に相当する。
【００１７】
上記シートバックフレーム１０は、図７〜図９に示すように、長尺状の鋼板パネル１１と、アルミニウム合金の押出し材より成る２本の長尺状の縁側フレーム１２，１３と、が互いに一つに組み付けられて、そのシートバック２の両肩口にあたる各部分（曲げライン１０Ｒ，１０Ｌ：図８参照）が折り曲げられることにより、互いに圧着されて強固に一体的に結合された状態となって構成されたものとなっている。具体的には、図７に示すように、上記鋼板パネル１１は、第１の鋼板パネル１１Ａと、第２の鋼板パネル１１Ｂと、第３の鋼板パネル１１Ｃと、の３枚のパネル材によって構成されている。第１の鋼板パネル１１Ａと第３の鋼板パネル１１Ｃは、それぞれ、図９に示すように、シートバックフレーム１０の各サイドフレーム１０Ａ全体とアッパフレーム１０Ｂの各サイドの一部とに跨ってかかるフレーム長を有した構成とされ、その途中箇所（曲げライン１０Ｒ，１０Ｌ）が折り曲げられることにより、各サイドフレーム１０Ａからアッパフレーム１０Ｂの各サイドの一部にかけてのフレーム構造を成すものとして構成されている。また、第２の鋼板パネル１１Ｂは、上記アッパフレーム１０Ｂの各サイドの一部まで延びる第１の鋼板パネル１１Ａと第３の鋼板パネル１１Ｃとの間に挟み込まれて位置し、アッパフレーム１０Ｂのフレーム構造を成すものとして構成されている。ここで、鋼板パネル１１（第１の鋼板パネル１１Ａと第３の鋼板パネル１１Ｃ）が本発明の「第１のフレーム部材」に相当し、各縁側フレーム１２，１３が本発明の「第２のフレーム部材」に相当する。
【００１８】
図７に示すように、上述した第１の鋼板パネル１１Ａと、第２の鋼板パネル１１Ｂと、第３の鋼板パネル１１Ｃは、これらを上述した配置順に長手方向に並べて設けた状態では、これらの短手方向の板幅が、これらの並びの中央となる第２の鋼板パネル１１Ｂの中央から並びの両外側に向かって漸次緩やかに広がっていく形となるように形成されている。詳しくは、第１の鋼板パネル１１Ａと、第２の鋼板パネル１１Ｂと、第３の鋼板パネル１１Ｃは、上記並べられた状態において、それぞれの短手方向の両側の外周面が、これらの並び方向の中央から両外側に向かって、互いに相反する側に反り返るように湾曲した形状に形成されている。これにより、図９に示すように、上記第１の鋼板パネル１１Ａと第３の鋼板パネル１１Ｃは、これらがシートバックフレーム１０の各サイドフレーム１０Ａとして曲げられて形成された際に、これらのシート前後方向の板幅が、下方側に向かって漸次広くなっていく形となるように形成され、着座乗員の背部から受ける背凭れ荷重の負荷が高くなっていく下方側に向かってその構造強度が高められていく最適な形に形成された状態とされている。
【００１９】
また、図７に示すように、各縁側フレーム１２，１３は、上述した第１の鋼板パネル１１Ａと第２の鋼板パネル１１Ｂと第３の鋼板パネル１１Ｃとに跨って、これらの湾曲した各外周部に沿って長手方向に順に差し込まれることにより、これらに対して係合し、差し込み方向とは垂直な方向には抜けないように保持された状態に組み付けられるようになっている。上記組み付け構造について具体的に説明すると、上述した第１の鋼板パネル１１Ａと第２の鋼板パネル１１Ｂと第３の鋼板パネル１１Ｃの湾曲した各外周部には、断面Ｌ字状に折り曲げられた形のフランジ部１１Ａ１，１１Ｂ１，１１Ｃ１が各外周部の湾曲した形に沿って連続的に形成されている。これらフランジ部１１Ａ１，１１Ｂ１，１１Ｃ１は、互いに同じ大きさの断面形状に形成されている。
【００２０】
一方、各縁側フレーム１２，１３は、アルミニウム合金の押出し成形により、上述した第１の鋼板パネル１１Ａと第２の鋼板パネル１１Ｂと第３の鋼板パネル１１Ｃの各外周部の湾曲した形に沿って湾曲して形成されている。各縁側フレーム１２，１３は、図５に示すように、それらの横断面形状が、上述した第１の鋼板パネル１１Ａと第２の鋼板パネル１１Ｂと第３の鋼板パネル１１Ｃとに形成された各フランジ部１１Ａ１，１１Ｂ１，１１Ｃ１をそれぞれ長手方向に挿通することのできる断面Ｌ字形状のレール溝１２Ａ，１３Ａがそれぞれ内部に形成された、シート幅方向に長い矩形の中実断面形状に形成されている。
【００２１】
したがって、上記各縁側フレーム１２，１３を、これらのレール溝１２Ａ，１３Ａ内に第１の鋼板パネル１１Ａの各フランジ部１１Ａ１と第２の鋼板パネル１１Ｂの各フランジ部１１Ｂ１と第３の鋼板パネル１１Ｃの各フランジ部１１Ｃ１とをそれぞれ順に差し込んで組み付けることにより、これらレール溝１２Ａ，１３Ａとフランジ部１１Ａ１，１１Ｂ１，１１Ｃ１とが嵌合して、各縁側フレーム１２，１３が第１の鋼板パネル１１Ａと第２の鋼板パネル１１Ｂと第３の鋼板パネル１１Ｃとに、それぞれ差し込み方向とは垂直な方向には抜けないように保持された状態に組み付けられる（図８参照）。そして、上記の組み付けの後に、図９に示すように、第１の鋼板パネル１１Ａや第３の鋼板パネル１１Ｃが通されているシートバック２の両肩口にあたる各部分（曲げライン１０Ｒ，１０Ｌ）を、各縁側フレーム１２，１３と共に、各縁側フレーム１２，１３の並び方向とは垂直な方向に折り曲げることにより、逆Ｕ字形状に曲げられた形のシートバックフレーム１０がひと繋がりの形に形成された状態となる。
【００２２】
詳しくは、上記の折り曲げにより、上述したレール溝１２Ａ，１３Ａと各フランジ部１１Ａ１，１１Ｂ１，１１Ｃ１との嵌合部分が曲げられて、これらが互いに引抜き不能に一体的に圧着されて結合された状態となる。これにより、溶接や締結を行うことなく、両者を簡便かつ強固に一体的に結合させた状態に組み付けることができ、溶接の難しい異種の材料同士（鋼材とアルミニウム合金の押出し材）を組み合わせた、軽量化と構造強度の確保とを最適に両立させられる構成を得ることができる。
【００２３】
ここで、図７〜図８に示すように、上記鋼板パネル１１に各縁側フレーム１２，１３が差し込まれて組み付けられる際には、第１の鋼板パネル１１Ａと第２の鋼板パネル１１Ｂとの間の箇所（隙間Ｓｐ１）、及び第２の鋼板パネル１１Ｂと第３の鋼板パネル１１Ｃとの間の箇所（隙間Ｓｐ２）に、それぞれ、前述した角筒状のホルダー１０Ｃが差し込まれてシート幅方向に挟み込まれた状態となって組み付けられるようになっている。具体的な組み付け構造について説明すると、一方のホルダー１０Ｃが挟み込まれる第１の鋼板パネル１１Ａの縁部と第２の鋼板パネル１１Ｂの縁部には、それぞれ、同ホルダー１０Ｃの周縁部の一部を嵌め込むことのできる矩形状に凹んだ凹部１１Ａ２，１１Ｂ２が形成されており、他方のホルダー１０Ｃが挟み込まれる第２の鋼板パネル１１Ｂの縁部と第３の鋼板パネル１１Ｃの縁部にも、それぞれ、同ホルダー１０Ｃの周縁部の一部を嵌め込むことのできる矩形状に凹んだ凹部１１Ｂ３，１１Ｃ２が形成されている。これら凹部１１Ａ２，１１Ｂ２や凹部１１Ｂ３，１１Ｃ２の前後幅は、各ホルダー１０Ｃの前後方向の外形寸法（前後幅）と略同じ大きさに設定されている。
【００２４】
そして、上記一方のホルダー１０Ｃには、上記第１の鋼板パネル１１Ａの凹部１１Ａ２内に嵌め込まれた際に同凹部１１Ａ２内の周縁部にシート幅方向に嵌まり込む窪み１０Ｃ１と、第２の鋼板パネル１１Ｂの凹部１１Ｂ２内に嵌め込まれた際に、同凹部１１Ｂ２内の周縁部にシート幅方向に嵌まる窪み１０Ｃ２とが、それぞれシート幅方向の両側面に周長方向に切り込まれて形成されている。また、他方のホルダー１０Ｃにも、上記第２の鋼板パネル１１Ｂの凹部１１Ｂ３内に嵌め込まれた際に同凹部１１Ｂ３内の周縁部にシート幅方向に嵌まり込む窪み１０Ｃ２と、第３の鋼板パネル１１Ｃの凹部１１Ｃ２内に嵌め込まれた際に、同凹部１１Ｃ２内の周縁部にシート幅方向に嵌まる窪み１０Ｃ１とが、それぞれシート幅方向の両側面に周長方向に切り込まれて形成されている。
【００２５】
これにより、上述した各ホルダー１０Ｃは、上述した各隙間Ｓｐ１，Ｓｐ２内に差し込まれて、上記第１の鋼板パネル１１Ａの凹部１１Ａ２と第２の鋼板パネル１１Ｂの凹部１１Ｂ２との間と、第２の鋼板パネル１１Ｂの凹部１１Ｂ３と第３の鋼板パネル１１Ｃの凹部１１Ｃ２との間とに、それぞれシート幅方向に挟み込まれて組み付けられることにより、各凹部１１Ａ２，１１Ｂ２や各凹部１１Ｂ３，１１Ｃ２の形状によってそれぞれ前後左右方向から挟まれて位置決めされた状態とされると共に、各窪み１０Ｃ１，１０Ｃ２の嵌合構造によって、高さ方向に位置ずれしないように（落下しないように）係合した状態とされるようになっている（図６参照）。
【００２６】
そして、上記の組み付けの後、図９に示すように、第１の鋼板パネル１１Ａや第３の鋼板パネル１１Ｃが通されているシートバック２の両肩口にあたる各部分（曲げライン１０Ｒ，１０Ｌ）を、各縁側フレーム１２，１３と共に折り曲げる際には、各ホルダー１０Ｃを挟み込む第１の鋼板パネル１１Ａと第２の鋼板パネル１１Ｂとの間の隙間Ｓｐ１や第２の鋼板パネル１１Ｂと第３の鋼板パネル１１Ｃとの間の隙間Ｓｐ２が広がらないように、折り曲げによってこれらの隙間Ｓｐ１，Ｓｐ２が狭められる方向の力がかけられるように曲げ加工を施すようにする。これにより、各ホルダー１０Ｃが、第１の鋼板パネル１１Ａと第２の鋼板パネル１１Ｂとの間や第２の鋼板パネル１１Ｂと第３の鋼板パネル１１Ｃとの間にそれぞれ強嵌合された状態となり、これらに強固に一体的に結合された状態となる（図６参照）。
【００２７】
上記のように各部品が一体的に組み付けられたシートバックフレーム１０は、その各サイドフレーム１０Ａを構成する、シート幅方向に面を向けた比強度の高い第１の鋼板パネル１１Ａや第３の鋼板パネル１１Ｃの各下端部が、それらの外側面に前述した図示しない円盤状のリクライニング装置が連結される連結部として設定される。そのために、上記第１の鋼板パネル１１Ａの下端側の板面部や第３の鋼板パネル１１Ｃの下端側の板面部には、上記図示しないリクライニング装置との結合用の複数の嵌合孔１１Ａ３，１１Ｃ３や、リクライニング装置のロック解除操作を行うための操作軸（図示省略）が通される軸孔１１Ａ４，１１Ｃ４が、それぞれ軸方向に貫通して形成されている。
【００２８】
このように、本実施例のシートバックフレーム１０（シートフレーム）の構成では、シート高さ方向に延びる各サイドフレーム１０Ａ（構成フレーム）と、各サイドフレーム１０Ａからシート幅方向に曲げられて延びるアッパフレーム１０Ｂ（曲げフレーム）と、を有する構成において、各サイドフレーム１０Ａが、シート高さ方向に延びる鋼板パネル１１（第１の鋼板パネル１１Ａと第３の鋼板パネル１１Ｃ）と、鋼板パネル１１に差し込まれて組み付けられる各縁側フレーム１２，１３と、から構成されている。アッパフレーム１０Ｂから各サイドフレーム１０Ａが曲げられる加工により、各縁側フレーム１２，１３が鋼板パネル１１と共に鋼板パネル１１への差し込み方向とは垂直な方向（シート高さ方向）に曲げられて、各縁側フレーム１２，１３が鋼板パネル１１（第１の鋼板パネル１１Ａや第３の鋼板パネル１１Ｃ）と互いに一体的に圧着されて結合された状態として形成されている。このように鋼板パネル１１と各縁側フレーム１２，１３は、互いに差し込まれて組み付けられた状態で、各サイドフレーム１０Ａの曲げ加工により差し込み方向とは垂直な方向に曲げられることにより、互いに抜けないように強固に一体的に圧着されて結合された状態となる。したがって、溶接や締結を行うことなく両者を簡便に一体化させた状態に組み付けることができ、溶接の難しい鋼板材とアルミニウム合金との組み合わせのように異種の材料同士を組み合わせて、軽量化と構造強度の確保とを最適に両立させられる構成を得ることができる。
【００２９】
詳しくは、鋼板パネル１１と各縁側フレーム１２，１３との間には、一方を他方に対して長手方向のいずれかの側から差し込めるようにして、差し込みにより双方を互いに長手方向とは垂直な方向には抜けないように保持した状態とするレールの嵌合構造（レール溝１２Ａ，１３Ａとフランジ部１１Ａ１，１１Ｂ１，１１Ｃ１との嵌合構造）が設けられており、アッパフレーム１０Ｂから各サイドフレーム１０Ａが曲げられる加工により、上記レールの嵌合構造が曲げられて、双方が互いに引抜き不能に一体的に圧着されて結合された状態となる。このように鋼板パネル１１と各縁側フレーム１２，１３との差し込みによる組み付け方向を、双方のフレーム形状が延びる長手方向に設定したことにより、双方を互いに深く嵌合させることができ、双方をより強固に結合することができると共に、シートバックフレーム１０自体の構造強度も効果的に高めることができる。
【００３０】
また、各サイドフレーム１０Ａは、そのシート前後方向の中央部に、シート高さ方向に延びる比強度の高い鋼板パネル１１が設定され、鋼板パネル１１のシート前後側の各縁部に、アルミニウム合金の押出し材より成る縁側フレーム１２，１３がそれぞれ組み付けられた構成となっている。このようにシートバック２の各サイドフレーム１０Ａを、比強度の高い鋼板パネル１１と軽量なアルミニウム合金の押出し材より成る縁側フレーム１２，１３とを上記のように組み合わせて構成することにより、各サイドフレーム１０Ａの軽量化と構造強度の確保とを最適に両立させた構成とすることができる。すなわち、上記シート前後方向の中央に配される比強度の高い鋼板パネル１１により、各サイドフレーム１０Ａをシートクッション３のフレームにリクライニング可能に連結するリクライニング装置（図示省略）との連結強度を担保させることができる。また、アルミニウム合金の押出し材より成る各縁側フレーム１２，１３により、横荷重や曲げや捩りに強い閉じ断面形状（本実施例では中実形状）を軽量に構成することができる。
【実施例２】
【００３１】
続いて、実施例２のシートフレーム（シートバックフレーム１０）の構成について、図１０〜図１１を用いて説明する。なお、本実施例では、実施例１で示したシートフレーム（シートバックフレーム１０）と実質的な構成及び作用が同じとなる箇所については、同一の符号を付して説明を省略し、異なる箇所について詳しく説明することとする。本実施例では、本発明の「第１のフレーム部材」に相当する鋼板パネル１１が、長尺な一枚のパネル材によって構成されている。上記鋼板パネル１１は、その短手方向の両側の外周面が、長手方向の中央から両外側に向かって、互いに相反する側に反り返るように湾曲した形状に形成されている。これにより、鋼板パネル１１は、その両サイド部がシートバックフレーム１０の各サイドフレーム１０Ａとして曲げられて形成された際に、そのシート前後方向の板幅が、下方側に向かって漸次広くなっていく形となるように形成され、着座乗員の背部から受ける背凭れ荷重の負荷が高くなっていく下方側に向かってその構造強度が高められていく最適な形に形成された状態とされている。
【００３２】
各縁側フレーム１２，１３（アルミニウム合金の押出し材）は、上記鋼板パネル１１の短手方向の各外周面の形に沿った湾曲形状に曲げられて形成されている。これら縁側フレーム１２，１３の構成は、実施例１で示した構成と同じであり、各内部に形成されたレール溝１２Ａ，１３Ａを、上記鋼板パネル１１の短手方向の両側の外周部に形成された、Ｌ字状に折り曲げられた形の各フランジ部１１Ｄ１に挿通して組み付けることにより、鋼板パネル１１に対して差し込み方向とは垂直な方向には抜けないように保持された状態に組み付けられるようになっている。各縁側フレーム１２，１３を鋼板パネル１１の両側部に差し込んで組み付けた後、図１１に示すように、これらのシートバック２の両肩口にあたる各部分（曲げライン１０Ｒ，１０Ｌ）を折り曲げ加工することにより、逆Ｕ字形状に曲げられた形のシートバックフレーム１０がひと繋がりの形となって形成される。
【００３３】
詳しくは、上記の折り曲げにより、各縁側フレーム１２，１３のレール溝１２Ａ，１３Ａと鋼板パネル１１の各フランジ部１１Ｄ１との嵌合部分が曲げられて、これらが互いに引抜き不能に一体的に圧着されて結合された状態となる。これにより、溶接や締結を行うことなく、両者を簡便に強固に一体化させた状態に組み付けることができ、溶接の難しい異種の材料同士（鋼材とアルミニウム合金の押出し材）を組み合わせて、軽量化と構造強度の確保とを最適に両立させられる構成を得ることができる。
【００３４】
ここで、上記鋼板パネル１１の長手方向の中央の２箇所には、各ホルダー１０Ｃを嵌め込んで装着することのできる四角孔形状の装着孔１１Ｄ２が形成されている。これら装着孔１１Ｄ２は、各ホルダー１０Ｃの外径よりも僅かに大きな形状となっており、各ホルダー１０Ｃを簡便に差し込んで装着することができるようになっている。各装着孔１１Ｄ２には、これらの後縁部から後方側に先細り状に切り込まれたスリット１１Ｄ２ａが形成されている。各装着孔１１Ｄ２は、これらの内部に各ホルダー１０Ｃをセットして、鋼板パネル１１の両サイド部（曲げライン１０Ｒ，１０Ｌ）を各サイドフレーム１０Ａとして曲げ加工することにより、各スリット１１Ｄ２ａがシート幅方向に押し窄められて、各装着孔１１Ｄ２の周縁部が各ホルダー１０Ｃの周縁部に形成された各窪み１０Ｃ１，１０Ｃ２にシート幅方向に強く嵌まり込んで、各ホルダー１０Ｃを強固に挟み込んだ状態となる。これにより、各ホルダー１０Ｃが、鋼板パネル１１によって前後左右方向から挟まれて位置決めされた状態となると共に、各窪み１０Ｃ１，１０Ｃ２の嵌合構造によって、鋼板パネル１１に対して高さ方向に位置ずれしないように（落下しないように）係合した状態とされるようになっている。
【００３５】
上記曲げ形成されたシートバックフレーム１０は、その各サイドフレーム１０Ａを構成するシート幅方向に面を向けた比強度の高い鋼板パネル１１の各下端部が、それらの外側面に前述した図示しない円盤状のリクライニング装置が連結される連結部として設定されている。そのために、上記鋼板パネル１１の各下端側の板面部には、上記図示しないリクライニング装置との結合用の複数の嵌合孔１１Ｄ３と、リクライニング装置のロック解除操作を行うための操作軸（図示省略）が通される軸孔１１Ｄ４とが、それぞれ軸方向に貫通して形成されている。
【００３６】
以上、本発明の実施形態を２つの実施例を用いて説明したが、本発明は上記実施例のほか各種の形態で実施することができるものである。例えば、本発明の「シートフレーム」は、特定方向に延びる「構成フレーム」と、構成フレームから特定方向とは垂直な方向に曲げられて延びる「曲げフレーム」と、を有する種々の構成において適用することができるものであり、上記各実施例で示したようなシートバックフレーム１０としての適用のほか、シートクッション等の他のシート構造部のフレームとしても適用することができるものである。なお、本発明の「シートフレーム」は、特定方向に延びる「構成フレーム」と、構成フレームから特定方向とは垂直な方向に曲げられて延びる「曲げフレーム」と、が互いに入れ替えられても実質的に同じ構成となる関係となっているため、曲げられる一方側の部材を「構成フレーム」として捉えるか「曲げフレーム」として捉えるかはどちらでも構わない。
【００３７】
また、上記各実施例では、本発明の「第１のフレーム部材」を鋼板パネル１１とし、「第２のフレーム部材」をアルミニウム合金の押出し材から成る縁側フレーム１２，１３としたものを例示したが、各フレーム部材は、互いに同種の金属材料から成るものであってもよく、また、異種の様々な金属材料の組み合わせで構成されるものであってもよい。具体的な金属材料としては、アルミニウム合金やマグネシウム合金や鉄鋼材等の金属材料が代表的に挙げられ、これらのプレス材や押出し材、鍛造材等の種々の加工法により形成されるものを適用することができる。また、これらの形状についても、どのような形状のもの同士が組み合わされて構成されるものであってもよく、閉じ断面形状・開き断面形状を問わず、使用目的に合わせて形成される種々の断面形状をもつフレーム同士を組み合わせることができる。
【００３８】
また、上記各実施例では、鋼板パネル１１（第１のフレーム部材）の短手方向の両側の外周面が、互いに相反する側に反り返るように湾曲した形に形成され、これらに挿通される各縁側フレーム１２，１３（第２のフレーム部材）も、上記の湾曲形状に沿った湾曲形状に形成されたものを例示した。しかし、これら鋼板パネル（第１のフレーム部材）や各縁側フレーム（第２のフレーム部材）は、それぞれ真っ直ぐな形に形成されていてもよく、また、各サイドフレーム（構成フレーム）の構造強度を下方側に向けて高めていく形状とするために、鋼板パネル（第１のフレーム部材）の短手方向の両側の外周面や各縁側フレーム（第２のフレーム部材）を、これらの組み付けられた全体の板幅が直線状に変化していくように斜めに真っ直ぐに延びる形状としたものであってもよい。また、シートバックの各サイドフレーム（構成フレーム）が後方側に弓状に湾曲した形となるように、鋼板パネル（第１のフレーム部材）の短手方向の両側の外周面や各縁側フレーム（第２のフレーム部材）を、後方側に弓状に湾曲させた形状となるように同じ方向に湾曲させた形状としてもよい。また、上述したようなシートバックの各サイドフレーム（構成フレーム）を下方側に向けて板幅を増大させていく形としたり、シートバックを後方側に反らせた形としたりすることを、縁側フレーム（第２のフレーム部材）の断面形状に変化をもたせることによって行うようにして、鋼板パネル（第１のフレーム部材）と各縁側フレーム（第２のフレーム部材）との差し込み自体は真っ直ぐに行われるようになっているものであってもよい。
【００３９】
また、「第１のフレーム部材」と「第２のフレーム部材」との差し込みによる組み付けは、これらの長手方向への差し込みではなく、短手方向への差し込みによって組み付けられる構成であってもよい。但し、これらの間に「差し込みにより双方を互いに差し込み方向とは垂直な方向には抜けないように保持するレールの嵌合構造」が設けられる構成においては、短手方向の差し込みでは十分な嵌合深さを確保することができないことに留意する必要がある。
【符号の説明】
【００４０】
１      車両用シート
２      シートバック
３      シートクッション
４      ヘッドレスト
１０    シートバックフレーム（シートフレーム）
１０Ａ  サイドフレーム（構成フレーム）
１０Ｂ  アッパフレーム（曲げフレーム）
１０Ｃ  ホルダー
１０Ｃ１  窪み
１０Ｃ２  窪み
１０Ｒ    曲げライン
１０Ｌ    曲げライン
１１    鋼板パネル（第１のフレーム部材）
１１Ａ  第１の鋼板パネル（第１のフレーム部材）
１１Ａ１  フランジ部
１１Ａ２  凹部
１１Ａ３  嵌合孔
１１Ａ４  軸孔
１１Ｂ  第２の鋼板パネル
１１Ｂ１  フランジ部
１１Ｂ２  凹部
１１Ｂ３  凹部
１１Ｃ  第３の鋼板パネル（第１のフレーム部材）
１１Ｃ１  フランジ部
１１Ｃ２  凹部
１１Ｃ３  嵌合孔
１１Ｃ４  軸孔
１１Ｄ１  フランジ部
１１Ｄ２  装着孔
１１Ｄ２ａ  スリット
１１Ｄ３  嵌合孔
１１Ｄ４  軸孔
１２    縁側フレーム（第２のフレーム部材）
１２Ａ  レール溝
１３    縁側フレーム（第２のフレーム部材）
１３Ａ  レール溝
Ｓｐ１  隙間
Ｓｐ２  隙間
【図１】
2014019202.tif 000003
【図２】
2014019202.tif 000004
【図３】
2014019202.tif 000005
【図４】
2014019202.tif 000006
【図５】
2014019202.tif 000007
【図６】
2014019202.tif 000008
【図７】
2014019202.tif 000009
【図８】
2014019202.tif 000010
【図９】
2014019202.tif 000011
【図１０】
2014019202.tif 000012
【図１１】
2014019202.tif 000013